(57)【特許請求の範囲】
【請求項１】
内部に端子挿入室が形成された筒部と、
前記筒部の端部より延設され前記筒部の内部に折り返された片持ち支持であり、前記筒部内に突出し、前記端子挿入室に挿入された相手端子のロッド部に外側に弾性変形して接触するバネ部と、
前記筒部に設けられ、前記バネ部の弾性変形領域で自由端より基端側に突出する突部と、
電線の絶縁外皮に加締められる電線加締め部とを備え、
前記バネ部は、前記突部に当接し、且つ、前記突部の箇所で前記相手端子の前記ロッド部に接触すると共に、先端の自由端側でも前記相手端子の前記ロッド部に弾性復帰力により接触され、
前記筒部の前記バネ部の基端側の端部は、前記バネ部の折り返された端部より前記筒部側に配置され、
前記バネ部の先端側には、前記筒部の内部に向けて突出するインデント部が形成されていることを特徴とする端子。
【請求項２】
請求項１記載の端子であって、
前記筒部は、円筒状であり、前記バネ部は、前記筒部の周方向に等間隔に複数配置されたことを特徴とする端子。
【発明の詳細な説明】
【技術分野】
【０００１】
本発明は、相手端子との間で電気的に接触する端子に関する。
【背景技術】
【０００２】
この種の第１従来例として、図６に示す端子が提案されている（特許文献１参照）。この端子１００は、相手端子１１０のロッド部１１１が挿入される筒部１０１を有し、筒部１０１内には板状のバネ部１０２が配置されている。バネ部１０２は、筒部１０１より延設され、先端が自由端の片持ち支持構造である。バネ部１０２の先端側には、上方に突出するインデント部１０２ａが設けられている。筒部１０１の底面部には、突部１０１ａが設けられている。突部１０１ａは、バネ部１０２の弾性変形領域に配置されている。
【０００３】
相手端子１１０のロッド部１１１が筒部１０１内に挿入されると、バネ部１０２が撓み変形してロッド部１１１の挿入が許容される。バネ部１０２の撓み変形の途中でバネ部１０２が突部１０１ａに当接し、当接後は突部１０１ａをバネ支点としてバネ部１０２が撓み変形する。相手端子１１０の挿入完了位置では、バネ部１０２のインデント部１０２ａの箇所で相手端子１１０のロッド部１１１に接触する。
【０００４】
また、第２従来例として図７に示す端子が提案されている（特許文献２参照）。この端子１２０は、相手端子のロッド部（図示せず）が挿入される筒部１２１を有し、筒部１２１内には、複数のバネ部１２２が配置されている。各バネ部１２２は、筒部１２１を打ち抜き曲げ加工して形成された両持ち支持である。
【０００５】
相手端子のロッド部（図示せず）が筒部１２１内に挿入されると、各バネ部１２２の中央箇所が外側に撓み変形してロッド部の挿入が許容される。相手端子の挿入完了位置では、各バネ部１２２の最も内側に位置する箇所が相手端子のロッド部に接触する。
【先行技術文献】
【特許文献】
【０００６】
【特許文献１】特開２０１３−１３７９４９号公報
【特許文献２】特開平６−１３１１９号公報
【発明の概要】
【発明が解決しようとする課題】
【０００７】
しかしながら、前記第１及び第２従来例ともに、相手端子１１０、（図示せず）の挿入完了位置では、バネ部１０２，１２２のたわみ復帰力を接触荷重として相手端子１１０、（図示せず）のロッド部１１１、（図示せず）に接触しているので、相手端子１１０、（図示せず）のロッド部１１１、（図示せず）より離間する方向に弾性変移可能である。そのため、振動等による外力によってバネ部１０２，１２２が相手端子１１０、（図示せず）のロッド部１１１、（図示せず）より離間し、相手端子１１０、（図示せず）との接続が不安定になる恐れがある。
【０００８】
そこで、本発明は、前記した課題を解決すべくなされたものであり、振動等の外力によって相手端子との接触が不安定になるのを防止できる端子を提供することを目的とする。
【課題を解決するための手段】
【０００９】
本発明は、内部に端子挿入室が形成された筒部と、前記筒部の端部より延設され前記筒部の内部に折り返された片持ち支持であり、前記筒部内に突出し、前記端子挿入室に挿入された相手端子のロッド部に外側に弾性変形して接触するバネ部と、前記筒部に設けられ、前記バネ部の弾性変形領域で自由端より基端側に突出する突部と、電線の絶縁外皮に加締められる電線加締め部とを備え、前記バネ部は、前記突部に当接し、且つ、前記突部の箇所で前記相手端子の前記ロッド部に接触すると共に、先端の自由端側でも前記相手端子の前記ロッド部に弾性復帰力により接触され、前記筒部の前記バネ部の基端側の端部は、前記バネ部の折り返された端部より前記筒部側に配置され、前記バネ部の先端側には、前記筒部の内部に向けて突出するインデント部が形成されていることを特徴とする端子である。
【００１０】
前記筒部は、円筒状であり、前記バネ部は、前記筒部の周方向に等間隔に複数配置されたものを含む。
【発明の効果】
【００１１】
本発明によれば、バネ部の突部の箇所は突部側に弾性変移できない。従って、バネ部に振動等による外力が作用してもバネ部は相手端子との接触を確実に維持し、不安定になることがない。
【図面の簡単な説明】
【００１２】
【図１】本発明の一実施形態を示し、メス端子と相手端子の全体斜視図である。
【図２】本発明の一実施形態を示し、メス端子の前面図である。
【図３】本発明の一実施形態を示し、図２のＡ−Ａ線断面図である。
【図４】本発明の一実施形態を示し、オス端子が挿入されたメス端子の断面図である。
【図５】本発明の一実施形態を示し、（ａ）はオス端子が挿入されていない円筒部の要部断面図、（ｂ）はオス端子が挿入された円筒部の要部断面図である。
【図６】第１従来例の端子の断面図である。
【図７】第２従来例の端子の側面図である。
【発明を実施するための形態】
【００１３】
以下、本発明の一実施形態を図面に基づいて説明する。
【００１４】
図１〜図５は本発明の一実施形態を示す。図１〜図３に示すように、メス端子（端子）は、１枚の導電性の板材（例えば銅合金材）を折り曲げ加工して形成されている。メス端子１は、相手端子接続部２と電線接続部１０とこれらを連結する連結部２０とを備えている。
【００１５】
相手端子接続部２は、筒部である円筒部３と、円筒部３に一体に形成された３つのバネ部４とを備えている。
【００１６】
円筒部３は、円筒状であり、相手端子であるオス端子５０の挿入側となる前端が開口している。円筒部３は、内部にオス端子５０が挿入する端子挿入室３ａが形成されている。円筒部３は、拡径方向（外側）に向かって弾性変形できない。
【００１７】
３つのバネ部４は、それぞれ円筒部３の前端より延設され、円筒部３の内部に折り曲げられて形成されている。３つのバネ部４は、円筒部３の周方向に等間隔に配置されている。各バネ部４は、オス端子５０の挿入方向に向かって延び、その先端側に向かって互いの間隔が徐々に狭まる方向に傾斜している。各バネ部４の先端側には、互いに近接する方向に突出するインデント部４ａが折り曲げによって形成されている。各バネ部４の弾性変形領域には、突部６がそれぞれ設けられている。各突部６は、円筒部３を打ち出し加工して設けられている。各突部６は、円筒部３に一体に形成されているため、外側に変移できない。各バネ部４は、たわみ変形によって突部６に当接し、当接後のたわみ変形では突部６をバネ支点としてバネ部４のバネ支点より先端側がたわみ変形する。各バネ部４が突部６に当接した状態では、突部６の位置における３つのバネ部４の隙間寸法は、オス端子５０のロッド部５１が嵌合する寸法に設定されている。
【００１８】
電線接続部１０は、基底部１０ａより両側に延設された導体加締め部１０ｂと、同じく基底部１０ａより両側に延設された電線加締め部１０ｃとを有する。導体加締め部１０ｂによって電線（図示せず）の露出された導体３１（図４に示す）を外側から覆うように加締める。電線加締め部１０ｃによって絶縁外皮３２を剥ぎ取らない電線３０（図４に示す）を外側から覆うように加締める。
【００１９】
相手端子であるオス端子５０は、円周面を有するロッド部５１を有する。ロッド部５１は、内部が中実でも中空（円筒）でも良い。
【００２０】
上記構成において、オス端子５０のロッド部５１がメス端子１の円筒部３に挿入されると、先ず、ロッド部５１の先端が３つのバネ部４の間に進入し、各バネ部４に当接する。この状態よりさらに奥に挿入すると、３つのバネ部４がその隙間を広げるよう外側に向かってたわみ変形し、ロッド部５１の挿入が許容される。ロッド部５１が挿入完了位置まで挿入すると、これで双方の端子間が嵌合される。挿入完了位置では、図４及び図５（ｂ）に示すように、各バネ部４とロッド部５１間は、各バネ部４の突部６の位置（図５（ｂ）のａ領域）と各バネ部４の先端側のインデント部４ａの位置で接触する。各バネ部４の突部６の位置では、オス端子５０のロッド部５１は、円筒部３に３つの突部６の位置で各バネ部４を介して嵌合され、この嵌合力でオス端子のロッド部５１に接触している。バネ部４のインデント部４ａの位置では、バネ部４の弾性復帰力によってオス端子５０のロッド部５１に接触している。
【００２１】
以上説明したように、バネ部４は、突部６に当接し、且つ、突部６の箇所でオス端子５０のロッド部５１に接触する。従って、バネ部４の突部６の箇所は突部６側（外側）に弾性変移できないため、バネ部４に振動等による外力が作用してもバネ部４はオス端子５０との接触を確実に維持し、接触が不安定になることはない。
【００２２】
バネ部４は、円筒部３より延設された片持ち支持であり、先端の自由端側でもオス端子５０のロッド部５１に弾性復帰力により接触されている。従って、バネ部４が２か所でオス端子５０のロッド部５１に接触するため、大きな接触面積で接触できる。又、バネ部４は、突部６の位置をバネ支点として弾性変形するため、突部６がない場合に比較してバネ定数が大きい構造となる。従って、バネ部４のインデント部４ａの箇所（先端側）が振動等による外力によって弾性変移しにくいため、振動等によって接点間が非接触になる事態を防止できる。
【００２３】
円筒部３がオス端子５０の挿入方向から見て円筒状であり、オス端子５０のロッド部５１が円柱体からなっているので、あらゆる向きでオス端子５０のロッド部５１を円筒部３に嵌合できる。つまり、端子間の嵌合向きが自由で、制約がない。
【００２４】
バネ部４は、円筒部３の周方向に等間隔に３つ配置されている。従って、３つのバネ部４がオス端子５０のロッド部５１を包み込むように接触するため、円筒部３の中心箇所がオス端子５０のロッド部５１の挿入位置となり、挿入性が良い。３つのバネ部４が均等な接触荷重で接触するため、信頼性の高い接触状態が得られる。バネ部４は、１つでも、２つでも、４つ以上でも良い。
【００２５】
本明細書では、各バネ部４とロッド部５１が接触する箇所であるバネ部４の突部６の位置（図５（ｂ）のａ領域とは、突部６に対応する位置及びその周辺位置を含む。つまり、バネ部４に振動等の外力が作用した場合に、バネ部４の弾性変形によっても弾性変移できない領域である。
【符号の説明】
【００２６】
１  メス端子（端子）
３  円筒部（筒部）
３ａ  端子挿入室
４  バネ部
６  突部
５０  オス端子（相手端子）
５１  ロッド部
【図１】
0006445270.tif 000002
【図２】
0006445270.tif 000003
【図３】
0006445270.tif 000004
【図４】
0006445270.tif 000005
【図５】
0006445270.tif 000006
【図６】
0006445270.tif 000007
【図７】
0006445270.tif 000008